【事件の表示】
　特願２００３−４０１９７２「電子機器制御システム」拒絶査定不服審判事件〔平成１６年　６月　３日出願公開、特開２００４−１５８０１９〕について、次のとおり審決する。
【結　論】
　本件審判の請求は、成り立たない。
【理　由】
１．手続きの経緯・本願発明
　本願は，平成１２年　８月　３日に出願した特願２０００−２３６１５８号の一部を平成１５年１２月　１日に新たな特許出願としたものであって，平成１８年　３月　２日付けで拒絶理由通知がなされ，同年　４月２７日付けで手続補正がなされたが，同年　６月１９日付けで拒絶査定がなされ，これに対して同年　７月２７日に拒絶査定に対する審判請求がなされたものである。
　そして，その請求項１に係る発明は，平成１８年　４月２７日付けの手続補正書によって補正された特許請求の範囲の請求項１に記載された次のとおりのものである（以下，「本願発明」という。）。
　
「【請求項１】　動作データを生成するとともに，該動作データを識別するための識別データを生成するデータ生成手段と，
　上記データ生成手段によって生成された上記動作データに基づいて処理を行う電子機器と，
　上記データ生成手段によって生成された上記識別データを無線により受信するとともに，該識別データを記憶する識別データ記憶手段を備えた携帯型データ記憶手段とを備え，
　上記識別データを記憶した携帯型データ記憶手段が電子機器近傍に移動すると，上記携帯型データ記憶手段が，上記電子機器に対して上記識別データ記憶手段に記憶されている上記識別データを無線により自動的に送信するとともに，上記電子機器が，上記携帯型データ記憶手段から上記識別データを受信した際に，該識別データに対応する動作データに基づいて処理を行うことを特徴とする電子機器制御システム。」
　
２．引用例
　これに対して，原査定の拒絶の理由に引用された特開平１１−３５３１３３号公報（以下，「引用例１」という。），特開２０００−１７７２１２号公報（以下，「引用例２」という。），及び特開平１０−１６３５５号公報（以下，「引用例３」という。）には，図面とともに，次の事項が記載されている。
　
（１）引用例１（特開平１１−３５３１３３号公報）
　
（１ａ）「【００７０】本例もネットワークを使用した印刷システムであり，クライアント２から供給される印刷データに従ってプリンタ装置による印刷処理を行うものである。しかし，本例ではＰＤＡ（Personal Digital Assistants ）を使用して印刷指示を行うことを特徴とするものである。
【００７１】図１７は本例の印刷システムのシステム構成図である。同図において，ネットワーク５０には複数のクライアント５１−１〜５１−ｎ，プリンタ装置５２が接続されている。このネットワーク５０も企業内ＬＡＮ，又はＷＡＮ，更にはインターネット等のネットワークであってもよい。尚，本例ではプリントサーバを示していないが，プリントサーバを使用する構成としてもよい。
【００７２】クライアント５１−１〜５１−ｎは，例えばパーソナルコンピュータ（ＰＣ）であり，それぞれ内蔵するアプリケーションプログラムで作成した印刷データを不図示のプリントサーバ，又はプリンタ装置５２に出力する。プリンタ装置５２は，例えば汎用性のある印刷装置であり，各種クライアント５１−１〜５１−ｎの仕様に対応して印刷処理が可能なプリンタ装置である。
【００７３】また，ＰＤＡ５３ａ，５３ｂ等は通信機能を有する携帯用情報機器であり，いわゆるモバイル通信が可能なハンディータイプのパーソナルコンピュータや，電子手帳タイプの情報通信機器が対応する。このＰＤＡ５３ａ，５３ｂ等は通信プロトコルを内蔵し，上述のプリンタ装置５２との間でデータ通信を行う。」
　
（１ｂ）「【００８１】以上の構成の印刷システムにおいて，以下にその処理動作を説明する。図２０は上述の印刷システムの処理動作を説明するフローチャートである。本例の説明では，クライアント５１−１からネットワーク５０を介して印刷データをプリンタ装置５２に送り，ＰＤＡ５３ａ，５３ｂ等からの指示信号によってプリンタ装置５２による印刷処理を行うものとする。
【００８２】この場合，先ずクライアント５１−１は自己のコンピュータのアプリケーションプログラムを使用して印刷データを作成する。そして，前述のＬＡＮ，ＷＡＮ等のネットワーク５０を介して指定されたプリンタ装置５２に印刷データを送る（ステップ（以下Ｓで示す）１）。また，この時印刷データと共に，所定データを送る（Ｓ１）。この所定データはＰＤＡ５３ａ，５３ｂ等のＩＤナンバー（Ｎo）や宛名，題名等のデータである。
【００８３】次に，プリンタ装置５２では供給されるデータが自己指定のデータであるか判断する（Ｓ２）。すなわち，ネットワーク５０上には複数のプリンタ装置５２が接続され，ネットワーク５０を介して供給される印刷データが自己指定のデータであるか判断する。この判断は上述の印刷データに含まれる宛名情報によって行い，自己の宛名が付加されていない場合には（Ｓ２がＮ（ノー）），当該プリンタ装置５２は以後の処理を行わない。一方，供給された印刷データに自己の宛名情報が含まれている場合（Ｓ２がＹ（イエス）），当該プリンタ装置５２は次に処理（Ｓ３）を行う。
【００８４】すなわち，指定されたプリンタ装置５２は記録コマンドを受け入れ，印刷データ及び所定データを大容量記録デバイス７９に記憶する（Ｓ３）。すなわち，プリンタ装置５２はＬＡＮインターフェイス（Ｉ／Ｆ）７２を介して供給される印刷データ及び所定データをＣＰＵ６８の制御によって大容量記録デバイス７９に記憶する。　
【００８５】ＣＰＵ６９は上述の処理が終了するのを待ち（Ｓ４がＮ），大容量記録デバイス７９への上述の記憶処理が終了すると（Ｓ４がＹ），前述の所定データとプリンタ装置５２のＩＤナンバー（Ｎo ) を発信する（Ｓ５）。この発信処理は図２２に示すプリンタ装置５２の無線インターフェイス（Ｉ／Ｆ）７３によって行う。この無線送信は直接相手のＰＤＡ５３ａ，５３ｂ等に送信してもよいが，通常は送信信号は電話回線等の有線によってアナログデータ，又はデジタルデータに変換される。そして，ＰＤＡ５３ａ，５３ｂ等に直接有線で，又は無線信号に変換されてＰＤＡ５３ａ，５３ｂ等に送られる。
【００８６】ＰＤＡ５３ａ，５３ｂ等は，送信信号を受信すると前述の所定データから，自己のＩＤナンバー（Ｎo ）か否か判断する（Ｓ６）。そして，上記ＩＤナンバー（Ｎo ）が自己を指定するナンバーでなければ無視する（Ｓ６がＮ）が，自己の指定ナンバーであれば（Ｓ６がＹ），以下の処理を行う（Ｓ７）。すなわち，指定されたＩＤナンバー（Ｎo ）を有するＰＤＡ（例えば５３ａ）は，宛名，題名等の所定データと対応するプリンタ装置５２のＩＤナンバーを受信し，上記プリンタ装置５２に自己宛の印刷データが記憶されていることを表示する（Ｓ７）。
【００８７】例えば，図２１に示すＬＣＤ（液晶ディスプレイ）６０には，上述の宛名，題名等の所定データと対応するプリンタ装置５２のＩＤナンバーが表示される（Ｓ７）。この表示により，ＰＤＡ５３ａの所有者は，プリンタ装置５２に自己宛の印刷データが記憶されていることを知り，プリントアウトするか否か判断する（Ｓ８）。
【００８８】プリントアウトしない場合にはＰＤＡ５３ａのオペレータは何らの操作を行わない（Ｓ８がＮ）。一方，ＰＤＡ５３ａのオペレータがプリントアウトを希望する場合には（Ｓ８がＹ），ＰＤＡ５３ａのキー入力部６１を操作してプリントアウトの設定を行い，実行キーを押下する（Ｓ９）。この処理によりＣＰＵ５５は前述のプログラムに従って印刷処理を行うプリンタ装置５２のＩＤナンバーと所定データ（宛名，題名等のデータ）を無線インターフェイス（Ｉ／Ｆ）５９から発信する（Ｓ９）。
【００８９】プリンタ装置５２では自己が指定されたプリンタ装置であるか否か判断し（Ｓ１０），受信データに含まれるプリンタのＩＤナンバーが自己のナンバーであれば（Ｓ１０がＹ），以下の処理（Ｓ１１）を行う。すなわち，プリンタ装置５２はＰＤＡのナンバーに合致する印刷データを検し，プリントアウトする（Ｓ１１）。具体的には，大容量記録デバイス７９に記憶した印刷データの中から上述のＰＤＡのナンバーに対応する印刷データを検索し，検索した印刷データを解析処理して，例えば文字コードは対応するパターンデータに変換し，ビットマップデータを作成する。このビットマップデータをビデオインターフェイス（Ｉ／Ｆ）７７を介してエンジン部６６に送り，エンジン部６６によって不図示の記録紙に印刷を行う。」
　
（１ｃ）図２０のフローチャートには，左側にＰＤＡと記載されたＳ９における処理として，「携帯端末でプリントアウトを設定し，実行キーを押し，プリンタのＩＤ　Ｎｏ．と所定の付加データ（ＰＤＡ　ＩＤ　Ｎｏ．宛名，題名等）を発信する」と記載されている。続くＳ１０の処理において，「指定のプリンタか」否かの判断が行われ，「Ｙｅｓ」の場合には，Ｓ１１に進み，左側にプリンタと記載されたＳ１１における処理として，「指定のプリンタで受信し，所定の付加データ（ＰＤＡ　ＩＤ　Ｎｏ．宛名，題名等）合うプリントデータを探し，プリントアウトする」と記載されている。
　
　よって，引用例１には以下の発明（以下，「引用例１記載の発明」という。）が記載されている。
　
「印刷データを作成し，前記印刷データと共に，ＰＤＡのＩＤナンバーや宛名，題名等のデータをプリンタ装置に送るクライアントと，
　上記クライアントによって作成された上記印刷データに従ってプリントアウトを行うプリンタ装置と，
　上記ＰＤＡのＩＤナンバーや宛名，題名等のデータ，及びプリンタ装置のＩＤナンバーを無線により受信するＰＤＡとを備え，
　上記ＰＤＡでプリントアウトの設定の操作が行われ，実行キーが押されると，上記ＰＤＡが，上記プリンタ装置に対して上記ＰＤＡのＩＤナンバーや宛名，題名等のデータ，及びプリンタ装置のＩＤナンバーを無線により送信するとともに，上記プリンタ装置が，上記ＰＤＡから上記ＰＤＡのＩＤナンバーや宛名，題名等のデータ，及びプリンタ装置のＩＤナンバーを受信し，該ＰＤＡのＩＤナンバーや宛名，題名等のデータに合う印刷データを探し，プリントアウトすることを特徴とする印刷システム。」
　
（２）引用例２（特開２０００−１７７２１２号公報）
　
（２ａ）「【０１２９】また，各ユーザは，自分自身のＩＤ番号が記録されたＩＤカードを携帯している。上記ＩＤカードはデジタル複写機１との間で無線通信可能であり，ユーザがデジタル複写機１の管理エリア内に入ると，デジタル複写機１はそのユーザが携帯しているＩＤカードとの通信によって，そのＩＤ番号を読み取る。
【０１３０】上記デジタル複写機１では，このように，ユーザが該デジタル複写機１の管理エリア内に入った時に，ユーザのＩＤ番号を確認し，このＩＤ番号に基づいて様々な制御を行うものである。このため，上記デジタル複写機１には，上記ＩＤ番号を検知するために，例えば，特開平５−２７３３３８号公報に記載されているような移動体識別装置（移動体識別手段）が搭載されている。
【０１３１】上記移動体識別装置は，図５に示すように，質問器６０と応答器７０とから構成され，デジタル複写機１には質問器６０が組み込まれ，各ユーザは応答器７０をＩＤカードとして携帯しているものとする。尚，上記応答器７０は，カード以外の形態の携帯物であってもよいし，その他の携帯物に組み込まれたものであってもよい。
【０１３２】上記質問器６０は，アンテナ６１，受信器６２，ＲＯＭ６３，ＲＡＭ６４，およびＣＰＵ６５を備えている。アンテナ６１は受信器６２を介してＣＰＵ６５に接続されており，ＲＯＭ６３，ＲＡＭ６４，およびＣＰＵ６５は互いに接続されている。また，上記ＣＰＵ６５は，図４において図示されていないが，メイン画像処理ボード４００のＣＰＵ４０１と接続されているものとする。上記質問器６０は，ＲＯＭ６３に格納されたシステムプログラムに基づいて，ＣＰＵ６５によって動作制御される。
【０１３３】上記応答器７０は，アンテナ７１，送信機７２，ＲＯＭ７３，ＲＡＭ７４，電源（電池）７５，およびＣＰＵ７６を備えている。アンテナ７１は送信器７２を介してＣＰＵ７５に接続されており，ＲＯＭ７３，ＲＡＭ７４，およびＣＰＵ７６は互いに接続されている。上記ＲＯＭ７３には，一般に，応答器７０の動作制御を行うシステムプログラムが格納されており，ＲＡＭ７４には，該応答器７０を携帯するユーザのＩＤ番号が格納されている。
【０１３４】上記質問器６０は，送受信機６２およびアンテナ６１を介して，通常は待機状態にある不特定多数の応答器７０に向けてＩＤ要求信号を送信している。上記応答器７０が上記通信器６０の有効電波範囲内（すなわち，デジタル複写機１の管理エリア内）に入ると，上記ＩＤ要求信号を受信し，これに対する応答信号としてＩＤ番号を質問器６０に向けて送信する。
【０１３５】このようにして，デジタル複写機１は，ＩＤ番号が記憶されたＩＤカードが管理エリア内に存在しているかを常時監視することができ，ＩＤカードの存在を検知すると，ＩＤ番号の確認を行い，その結果，このＩＤカードを所持しているユーザがデジタル複写機１の前に存在しているものとして処理する。
【０１３６】そして，このＩＤ番号に対応するプリントジョブがハードディスク装置５０３に管理されているか確認を行い，ＩＤ番号に対応するプリントジョブが存在すれば，デジタル複写機１のレーザ記録部３２から画像として記録再現する。」
　
（３）引用例３（特開平１０−１６３５５号公報）
　
（３ａ）「【００４８】続いて，図８のフローチャートを参照して，プリントサーバにおけるプリントデータのプリントアウト方法その１について説明する。図７のフローチャートで説明したようにして，ファイルサーバにおいていくつかのプリントデータが管理されているとする（ＳＴ２０，ＹＥＳ）。この状態において，プリントサーバ２の無線通信可能圏内に無線カード１０２を携帯したユーザが入り込むと，無線カード１０２とプリントサーバ２との間で無線通信が開始される（ＳＴ２２，ＹＥＳ）。
【００４９】この無線通信において，無線カード１０２に記憶されているユーザＩＤが読み取られる（ＳＴ２４，ＹＥＳ）。この読み取られたユーザＩＤと，ファイルサーバで管理されているプリントデータに付加されたユーザＩＤとの照合処理が行われる（ＳＴ２６）。この読み取られたユーザＩＤに該当するユーザＩＤの付加されたプリントデータがプリントサーバ２に格納されているときには（ＳＴ２８，ＹＥＳ），このプリントデータがプリントサーバ２からプリントアウトされる（ＳＴ３０）。このようなプリントアウト制御は，基本部ＣＰＵ３１により行われる。」
　
（３ｂ）「【００５１】このように，無線カードを利用してプリントデータとユーザとの対応が取れたときにプリントデータをプリントアウトすることで，目的とする自分の出力文書を確実に受け取ることができる。例えば，一台のプリントサーバを複数の端末で共有している場合に，送り主の異なるプリントデータがプリントサーバで大量に受け付けられたとしても，順次プリントアウトする訳ではないので，送り主の異なるプリントデータの出力文書の混同が防止できる。また，秘匿情報をプリントする場合でも，ユーザがプリントサーバに出向いたときに初めてプリントアウトが開始されるので，秘匿情報が他人の目に触れることもない。また，無線カードにより認証を行うため，磁気カードのようにカードリーダにカードを読ませるなどの余計な作業負担がユーザにかかることもない。」
　
　上記引用例２，引用例３に記載されているように，ユーザから送信される識別データにより当該識別データに対応する印刷データを出力するプリンタにおいて，ユーザがプリンタの無線通信可能範囲に入る（ユーザがプリンタに近づく）と，ユーザの保持する携帯機器が識別データを自動的に送信することは周知（以下，「周知技術１」という。）である。
　
３．対比
　本願発明と引用例１記載の発明とを対比する。
　
　引用例１記載の発明の「印刷データ」は，該「印刷データ」に従ってプリンタ装置が印刷処理の動作をしていることから，プリンタ装置を動作させるためのデータであり，本願発明における「動作データ」に相当する。
　
　引用例１記載の発明に記載された「クライアント」及び「プリンタ装置」は，それぞれ本願発明における「データ生成手段」及び「電子機器」に相当する。
　
　引用例１記載の発明の「ＰＤＡのＩＤナンバーや宛名，題名等のデータ」は，「印刷データ」を探すのに用いられていることから，「印刷データ」を特定するためのものである。すなわち，引用例１記載の発明に記載された「ＰＤＡのＩＤナンバーや宛名，題名等のデータ」と，本願発明における「識別データ」は，共に「動作データを特定するためのデータ」である点で共通である。
　
　引用例１の上記（１ｂ）の段落【００８６】〜【００８８】及び図２０を参照すると，ＰＤＡは，ＰＤＡのＩＤナンバーや宛名，題名等のデータ，及びプリンタ装置のＩＤナンバーを受信し，宛名，題名等のデータとプリンタ装置のＩＤナンバーをＬＣＤ（液晶ディスプレイ）に表示し（Ｓ７），その後，ＰＤＡのＩＤナンバーや宛名，題名等のデータ，及びプリンタ装置のＩＤナンバーを発信している（Ｓ９）ことから，少なくともその間は，ＰＤＡのＩＤナンバーや宛名，題名等のデータ，及びプリンタ装置のＩＤナンバーを何らかの形でＰＤＡ内の記憶手段に記憶している。
　したがって，引用例１記載の発明の「ＰＤＡ」は，本願発明における「記憶手段を備えた携帯型データ記憶手段」に相当する。
　
　引用例１の上記（１ｂ）の段落【００８９】及び図２０を参照すると，プリンタ装置５２は，「ＰＤＡのＩＤナンバーや宛先，題名等のデータ」に合う印刷データを探し，プリントアウトしていることから，「ＰＤＡのＩＤナンバーや宛先，題名等のデータ」に対応する印刷データに基づいてプリントアウト処理を行っている。
　
　引用例１記載の発明の「印刷システム」は，電子機器である「プリンタ装置」を制御するものであるから，「電子機器制御システム」である。
　
　したがって，本願発明と引用例１記載の発明は，以下の点で一致し，また，相違している。
　
（一致点）
「動作データを生成するデータ生成手段と，
　上記データ生成手段によって生成された上記動作データに基づいて処理を行う電子機器と，
　動作データを特定するためのデータを無線により受信するとともに，該動作データを特定するためのデータを記憶する記憶手段を備えた携帯型データ記憶手段とを備え，
　上記携帯型データ記憶手段が，上記電子機器に対して上記記憶手段に記憶されている上記動作データを特定するためのデータを無線により送信するとともに，上記電子機器が，上記携帯型データ記憶手段から上記動作データを特定するためのデータを受信した際に，該動作データを特定するためのデータに対応する動作データに基づいて処理を行うことを特徴とする電子機器制御システム。」
　
（相違点１）
　本願発明の，動作データを特定するためのデータは，動作データを識別するための識別データであって，本願発明のデータ生成手段は，動作データを生成するとともに，該動作データを識別するためのデータを生成しているのに対して，
　引用例１記載の発明の，動作データを特定するためのデータ（ＰＤＡのＩＤナンバーや宛名，題名等のデータ）は，動作データを識別するための識別データであるのかどうか必ずしも明らかではなく，また，引用例１記載の発明のデータ生成手段は，動作データを生成しているが，動作データを特定するためのデータを生成しているのかどうか必ずしも明らかではない点。
　
（相違点２）
　本願発明の携帯型データ記憶手段は，電子機器近傍に移動すると，動作データを識別するための識別データを自動的に送信するのに対して，
　引用例１記載の発明の携帯型データ記憶手段は，電子機器との無線通信可能範囲内にあれば，携帯型データ記憶手段でプリントアウトの設定の操作が行われ，実行キーが押されると，動作データを特定するためのデータを送信する点。
　
４．判断
　上記相違点について検討する。
　
（相違点１について）
　
　引用例１記載の発明において，動作データを特定するためのデータ（ＰＤＡのＩＤナンバーや宛名，題名等のデータ）は，データ生成手段により生成された動作データとともに電子機器に送られ，電子機器において動作データに基づいて処理を行うに際して動作データを特定するために使用されており，引用例１記載の発明の動作データを特定するためのデータは，動作データを識別するための識別データということができる。
　また，印刷データを識別するための識別データを生成し，該識別データを印刷データと関連付けて管理することで，前記識別データから印刷データを特定することは，特開平１０−１５４０４６号公報の特許請求の範囲，特開２０００−１９４５２１号公報の特許請求の範囲に記載されているように，本願出願前に周知の技術である（以下，「周知技術２」という。）。
　そうすると，引用例１記載の発明において，上記周知技術２を適用して，動作データを特定するためのデータ（ＰＤＡのＩＤナンバーや宛名，題名等のデータ）を動作データを識別するための識別データとし，データ生成手段より動作データとともに，当該動作データを識別するための識別データを生成するようにして，本願発明のように構成することは，当業者が容易に想到し得たことである。
　
（相違点２について）
　
　ユーザから送信される識別データにより当該識別データに対応する印刷データを出力するプリンタにおいて，ユーザがプリンタに近づくと，ユーザの保持する携帯機器が識別データを自動的に送信することは周知（上記周知技術１）であって，引用例１記載の発明における動作データを特定するためのデータの送信についてこの周知技術１を適用して，携帯型データ記憶手段（ＰＤＡ）が電子装置近傍に移動すると，動作データを特定するためのデータを無線により自動的に送信するようにして，本願発明のように構成することは，当業者が容易に想到し得たことである。
　
　そして，本願発明のように構成したことによる効果も引用例１記載の発明，及び周知技術から予想できる程度のものであって，格別のものではない。
　したがって，本願発明（請求項１に係る発明）は，引用例１記載の発明，及び周知技術に基づいて，当業者が容易に発明をすることができたものである。
　
５．結び
　以上のとおり，本願発明は，引用例１記載の発明，及び周知技術に基づいて，当業者が容易に発明をすることができたものであるから，特許法第２９条第２項の規定により特許を受けることができない。
　よって，結論のとおり，審決する。